(57)【要約】      （修正有）【課題】突起部が比較的大きく、突起部を削り取って使用することが難しい変形真珠を、突起部を削り取ることなく利用できる装飾具を提供する。【解決手段】珠部の一部に養殖過程で生成された突起部３を有する複数の変形真珠１が糸状体によって繋がれた装飾具５０であって、変形真珠は、珠部２から突出する突起部の高さ寸法が珠部の直径寸法に対して４０％乃至１２０％の寸法で形成されており、突起部は、糸状体を通す貫通孔を有しており、貫通孔に糸状体を通して複数の変形真珠の突起部を繋いで、突起部が隣接する突起部と略接触するように変形真珠を繋いでいる。【選択図】図５
0003234818.tif 000002
【実用新案登録請求の範囲】
【請求項１】
珠部の一部に養殖過程で生成された突起部を有する複数の変形真珠が糸状体によって繋がれた装飾具であって、
前記変形真珠は、前記珠部から突出する前記突起部の高さ寸法が前記珠部の直径寸法に対して４０％乃至１２０％の寸法で形成されており、
前記突起部は、前記糸状体を通す貫通孔を有しており、
前記貫通孔に前記糸状体を通して複数の前記変形真珠の前記突起部を繋いで、当該突起部が隣接する当該突起部と略接触するように前記変形真珠を繋いでいる、装飾具。
【請求項２】
前記貫通孔は、前記突起部の基部に設けられている、請求項１に記載の装飾具。
【請求項３】
前記糸状体に前記突起部の貫通孔を通した前記変形真珠は、前記珠部が前記糸状体を囲うように配置されている、請求項１又は２に記載の装飾具。
【考案の詳細な説明】
【技術分野】
【０００１】
本考案は、変形真珠を用いたネックレス、ブレスレット等の装飾具に関する。
【背景技術】
【０００２】
従来、アコヤ貝を母貝として養殖された真珠は、母貝から取り出された後に、所定の研磨や水洗い等の処理を経て装飾具に利用される。真珠は、品質に応じて上級珠とスソ珠（この明細書及び実用新案登録請求の範囲の書類中では「変形真珠」という）とに分類される。変形真珠は、養殖過程において珠部の一部に突起部が生成されたものである。変形真珠は、突起部を削り取って装飾具の一部に使用する場合や、突起部を装飾金具等で隠して装飾具に使用される場合などがある。
【０００３】
この種の先行技術として、変形真珠の珠部に挿通孔を設け、この挿通孔に糸状体を通して環状に繋いだ装飾具がある（例えば、特許文献１参照）。
【先行技術文献】
【特許文献】
【０００４】
【特許文献１】実用新案登録第３１２２９６９号公報
【考案の概要】
【考案が解決しようとする課題】
【０００５】
しかし、上記突起部を有する変形真珠は、真珠の全生産量に対して比較的多い。このため、変形真珠を装飾具として有効に利用できる更なる手法が望まれている。
【０００６】
そこで、本考案者は、突起部が比較的大きく、突起部を削り取って使用することが難しい変形真珠を、突起部を削り取ることなく利用できる装飾具を考えた。
【課題を解決するための手段】
【０００７】
本考案に係る装飾具は、珠部の一部に養殖過程で生成された突起部を有する複数の変形真珠が糸状体によって繋がれた装飾具であって、前記変形真珠は、前記珠部から突出する前記突起部の高さ寸法が前記珠部の直径寸法に対して４０％乃至１２０％の寸法で形成されており、前記突起部は、前記糸状体を通す貫通孔を有しており、前記貫通孔に前記糸状体を通して複数の前記変形真珠の前記突起部を繋いで、当該突起部が隣接する当該突起部と略接触するように前記変形真珠を繋いでいる。この明細書及び実用新案登録請求の範囲の書類中における「略接触する」は、糸状体に通した変形真珠の突起部が、常時、隣接する変形真珠の突起部に接触している状態のみではなく、糸状体によって繋げられた変形真珠の偏り等によって、突起部が隣接する変形真珠の突起部から僅かに離間する状態も含む。また、「糸状体」は、ワイヤ、糸、紐などを含む。
【０００８】
この構成により、珠部から突出した突起部を糸状体で繋げられた変形真珠は、糸状体の周囲に珠部が位置して房状にまとまり、変形真珠の珠部が密集した装飾具を構成することができる。これにより、斬新なデザインの変形真珠を用いたネックレス、ブレスレット等の装飾具を提供することができる。
【０００９】
また、前記貫通孔は、前記突起部の基部に設けられていてもよい。このように構成すれば、突起部の比較的強度の高い部分に貫通孔を設けて突起部の強度を保つことができる。
【００１０】
また、前記糸状体に前記突起部の貫通孔を通した前記変形真珠は、前記珠部が前記糸状体を囲うように配置されていてもよい。このように構成すれば、糸状体の周囲に密集した珠部で突起部が見えにくくなり、珠部が密集した斬新なデザインの装飾具とすることができる。
【考案の効果】
【００１１】
本考案によれば、突起部を有する変形真珠を利用して、斬新なデザインの装飾具を得ることが可能となる。
【図面の簡単な説明】
【００１２】
【図１】図１は、本考案の一実施形態に係る装飾具に用いる変形真珠の一例を示す正面図である。
【図２】図２は、図１に示す変形真珠の貫通孔に糸状体を通している状態を示す斜視図である。
【図３】図３は、図２に示す状態から変形真珠の突起部が隣接する変形真珠の突起部と略接触するように連ねた状態を示す斜視図である。
【図４】図４は、図３に示すIV矢視の拡大図である。
【図５】図５は、図３に示すように変形真珠の貫通孔に糸状体を通して完成させた装飾具を示す正面図である。
【図６】図６は、図５に示す装飾具とは異なる例の装飾具を示す正面図である。
【考案を実施するための形態】
【００１３】
以下、本考案の一実施形態を図面に基づいて説明する。以下の実施形態では、装飾具５０の一例としてネックレスを例に説明する。また、以下の実施形態において図示する変形真珠１は、作図上同様の形態の変形真珠１を用いて説明するが、変形真珠１は自然界において突起部３が形成されるため形態は様々であり、１つの装飾具５０は様々な形態の変形真珠１を用いて製作される。
【００１４】
（変形真珠の構成）
図１は、一実施形態に係る装飾具５０に用いる変形真珠１の一例を示す正面図である。なお、図１は、変形真珠１の突起部３を概略的に記載している。
【００１５】
この実施形態の変形真珠１は、核を有する略球状の珠部２と、珠部２の一部から突出する突起部３とを有する。変形真珠１としては、突起部３の高さ寸法Ｔが、珠部２の直径寸法Ｄに対して４０％乃至１２０％の寸法で形成されたものを用いることができる。例えば、珠部２の直径寸法Ｄが８ｍｍの場合、突起部３の高さ寸法Ｔが３．２ｍｍ乃至９．６ｍｍの変形真珠１を用いることができる。変形真珠１は、突起部３の高さ寸法Ｔがこの範囲のものを用いることで、後述するように突起部３の貫通孔１０に糸状体２０を通したときに、糸状体を囲うように珠部２を配置しやすくできる。
【００１６】
なお、変形真珠１は、養殖過程における自然界で突起部３が形成されるため、突起部３の形状、大きさは個々の変形真珠１によって異なっており、図示する変形真珠１はその一例である。珠部２の直径寸法Ｄに対する突起部３の高さ寸法Ｔは、一定ではない。
【００１７】
このような変形真珠１の突起部３に、貫通孔１０が設けられている。貫通孔１０は、糸状体（例えば、ワイヤ）を通すための細い孔である。貫通孔１０は、突起部３の基部に設けることで、突起部３の比較的強度の高い部分に貫通孔１０を設けて突起部３の強度を保つことができる。なお、貫通孔１０を設ける位置は、突起部３の付け根の部分でも、より先端側でもよく、この実施形態に限定されるものではない。
【００１８】
（変形真珠を繋いだ状態）
図２は、図１に示す変形真珠１の貫通孔１０に糸状体２０を通している状態を示す斜視図である。図３は、図２に示す状態から変形真珠１の突起部３が隣接する変形真珠１の突起部３と略接触するように連ねた状態を示す斜視図である。図４は、図３に示すIV矢視の拡大図である。
【００１９】
図２に示すように、突起部３に貫通孔１０が設けられた変形真珠１は、貫通孔１０に糸状体２０が通される。そして、図３に示すように、複数の変形真珠１の突起部３が隣接する変形真珠１の突起部３と略接触するように繋がれる。糸状体２０は、変形真珠１を繋ぐためのワイヤ、糸、紐等を用いることができる。複数の変形真珠１は、所定長さになるまで糸状体２０に通される。
【００２０】
図４に示すように、この実施形態では、変形真珠１の突起部３を繋ぐときに、珠部２が糸状体２０を囲うように突起部３を繋いでいる。これにより、糸状体２０の周囲に密集した珠部２で突起部３が見えにくくなり、珠部２が密集した斬新なデザインの装飾具５０（図５）とすることができる。
【００２１】
変形真珠１は、突起部３に形成した貫通孔１０に糸状体２０を通して繋げられる。このとき、突起部３が隣接する変形真珠１の突起部３と略接触するように、高密度に変形真珠１を繋げることが好ましい。このような構成とすることにより、図４に示すように、両隣の変形真珠１の隙間に様々な角度で突起部３が入り込み、装飾具５０の表面から突起部３が突出して露出することがなく、滑らかな印象を与えることができる。しかも、糸状体２０を通した突起部３の周囲に珠部２が配置されるため、被服や人体が触れても突起部３に引っ掛かるおそれもない。
【００２２】
また、装飾具５０としては、方向性や規則性の無い状態で変形真珠１が配列するので、ランダムな美観を起こさせるとともに、変形真珠１が房状に密集して、ボリューム感のある豪華な印象を与えることができる。さらに、突起部３の形状や大きさが様々であるため、変形真珠１の配列が一層不規則になって、装飾具５０全体として斬新な美観を起こさせることができる。
【００２３】
（装飾具の構成）
図５は、図３に示すように変形真珠１の貫通孔１０に糸状体２０を通して完成させた装飾具５０を示す正面図である。この実施形態の装飾具５０は、突起部３を有する多数の変形真珠１を糸状体２０によって環状に繋いだネックレスである。この実施形態の装飾具５０は、珠部２の直径寸法Ｄに対して突起部３の高さ寸法Ｔが同様の比率で、同様の色の変形真珠１が用いられている。装飾具５０は、多数の変形真珠１を繋いだ糸状体２０の端部に装着金具３０が設けられている。装着金具３０は、一般的な装飾具５０に用いられている物を用いることができる。このため、装着金具３０の詳細な説明は省略する。
【００２４】
図示するように、糸状体２０に突起部の貫通孔１０を通した変形真珠１は、方向性や規則性の無い状態で変形真珠１が連なった状態となるので、ランダムな美観を起こさせるとともに、変形真珠１が房状に密集して、ボリューム感のある豪華な印象を与えることができる。さらに、変形真珠１は突起部３の形状や大きさが様々であるため、変形真珠１の連なりが一層不規則になって、全体として斬新な美観を起こさせることができる。また、突起部３の貫通孔１０に通した糸状体２０を珠部２で囲うことで、突起部３が珠部２に隠れて見えにくくなり、より一層高密度な印象を与えることができる。
【００２５】
（その他の装飾具）
図６は、図５に示す装飾具５０とは異なる例の装飾具６０を示す正面図である。この例は、図５に示す装飾具５０の一部を異ならせた変形例である。図示するように、装飾具６０は、環状の装飾具５０の下半分が変形真珠１で、上半分がワイヤ６１となっている。この装飾具６０によれば、全体が変形真珠１で形成された装飾具５０とは異なった斬新な美観を起こさせることができる。装飾具６０は、下半分を変形真珠１としているが、下方の１／３が変形真珠１とすることも、全体の２／３を変形真珠１とすることも可能であり、変形真珠１を用いる部分はこの実施形態に限定されるものではない。また、ワイヤ６１をチェーンとすることもできる。
【００２６】
以上のように、本考案よれば、養殖過程で生成された突起部３を有する変形真珠１を、突起部３を削り取ることなくそのままの状態で装飾具５０に利用できるため、材料費が安価で、装飾性の高い装飾具５０を提供することが可能となる。
【００２７】
しかも、従来、突起部３を有することで下級品として扱われていた「スソ珠」を有効利用できるため、安価な変形真珠１の付加価値を高めることが可能となる。
【００２８】
なお、装飾具５０は上記した実施形態に限定されるものではない。例えば、変形真珠１を小さな円環状に繋げて一まとめにしたネックレストップ、イヤリング、ブレスレット等に構成してもよい。
【００２９】
また、上記した実施形態では、珠部２がほぼ同一の直径寸法Ｄの変形真珠１を用いた例を説明したが、珠部２の直径寸法Ｄを異ならせることも可能であり、一様に同一径の珠部２を用いた装飾具５０に限られない。
【００３０】
また、上記した実施形態は一例を示しており、本考案の要旨を損なわない範囲での種々の変更は可能であり、本考案は上記した実施形態に限定されるものではない。
【符号の説明】
【００３１】
１  変形真珠
２  珠部
３  突起部
１０  貫通孔
２０  糸状体（ワイヤ）
３０  装着金具
５０  ネックレス（装飾具）
６０  ネックレス（装飾具）
Ｄ  直径寸法
Ｔ  高さ寸法
【図１】
0003234818.tif 000003
【図２】
0003234818.tif 000004
【図３】
0003234818.tif 000005
【図４】
0003234818.tif 000006
【図５】
0003234818.tif 000007
【図６】
0003234818.tif 000008